(57)【要約】【課題】放送番組を聴く際に、煩雑な操作を解消することができる放送受信装置を提供する。【解決手段】本発明の放送受信装置は、放送を受信するアンテナ４と、受信した放送を出力する出力手段６，８，１１と、予め登録した登録データに関連する番組をその放送されるタイミングで告知する告知手段１８，２２と、この告知手段による番組の告知が所定の短時間に連続して発生する場合に後発の番組の告知をキャンセルする告知キャンセル手段１８と、を有する。【選択図】図２
2008167211.tif 000002
【特許請求の範囲】
【請求項１】
放送を受信する受信手段と、
受信した放送を出力する出力手段と、
予め登録した登録データに関連する番組をその放送されるタイミングで告知する告知手段と、
この告知手段による番組の告知が所定の短時間に連続して発生する場合に後発の番組の告知をキャンセルする告知キャンセル手段と、
を有することを特徴とする放送受信装置。
【請求項２】
更に、上記告知キャンセル手段によりキャンセルされた後発の告知の番組を記憶する告知番組記憶手段を有する請求項１記載の放送受信装置。
【請求項３】
更に、上記出力手段により出力中の番組の放送を記憶する放送番組記憶手段と、この放送番組記憶手段により記憶された番組を再生する再生手段と、を有し、上記告知番組記憶手段が上記放送番組記憶手段の一部として構成されている請求項２記載の放送受信装置。
【請求項４】
上記放送番組記憶手段及び／又は上記告知番組記憶手段は、上記出力手段による番組り出力中に、その出力中の番組と共に上記告知番組も併せて記憶する請求項３記載の放送受信装置。
【請求項５】
更に、上記告知番組記憶手段による告知番組の記憶が完了したことを告知する告知番組記憶完了告知手段を有する請求項２乃至４の何れか１項記載の放送受信装置。
【請求項６】
更に、上記告知番組記憶完了告知手段により告知された告知番組が再生されなかった場合には、その告知番組の記録を削除する削除手段を有する請求項５記載の放送受信装置。
【請求項７】
上記告知番組記憶完了手段による告知と、上記告知手段による他の番組の告知とが所定の短時間に連続して発生する場合には、上記告知番組記憶完了手段による告知が上記告知手段による告知よりも優先的に行われる請求項６記載の放送受信装置。
【請求項８】
更に、上記告知番組記憶手段により記憶された告知番組が再生された後にその告知番組の記録を消去する消去手段を有する請求項２乃至７の何れか１項記載の放送受信装置。
【請求項９】
上記放送受信装置が車両に搭載される請求項１乃至８の何れか１項に記載の放送受信装置。
【発明の詳細な説明】
【技術分野】
【０００１】
本発明は、放送受信装置に係り、特に、予め登録した登録データに関連する番組をその放送されるタイミングで告知するような放送受信装置に関する。
【背景技術】
【０００２】
最近、北米で、有料の衛星デジタルラジオ放送が開始され、広域をカバーできること、多数のキャンネルが利用できること、高音質である等の理由から、利用者が増大している。この衛星放送ラジオ放送に関しては、例えば、特許文献１に開示されているように、種々の提案がなされている。
この特許文献１には、衛星デジタル放送が複数のプロバイダから提供される場合に、選択されたプロバイダに応じて増幅度を設定することにより、プロバイダ毎に仕様の異なる放送電波を適切に受信できるようにした放送受信装置が開示されている。
【０００３】
【特許文献１】特開２００５−１８４６４６号公報
【発明の開示】
【発明が解決しようとする課題】
【０００４】
また、衛星デジタルラジオ放送の放送受信装置として、予め複数のデータが登録できるようになっており、予め登録した登録データに関連する番組をその放送されるタイミングで告知するようにしたものも知られている。
【０００５】
しかしながら、このような放送受信装置においては、複数のデータを登録することが可能であるため、登録した複数のデータに関連する番組の告知が短時間に連続して行われる場合がある。この場合には、使用者は、両番組ともに受聴したいような場合には面倒な操作を行わなければならず、操作が煩雑となり、改善が要望されていた。
さらに、このような衛星デジタルラジオ放送の放送受信装置は、家庭内等に設置されるが、それ以外に車両に搭載される場合がある。放送受信装置が車両に搭載された場合には、上述したような告知が短時間に連続して行われると、ドライバは、車両運転中に放送受信装置の面倒な操作を行わなければならず、安全走行上も問題となり、改善の要望が特に大きくなっている。
【０００６】
そこで、本発明は、従来技術の問題点を解決するためになされたものであり、放送番組を聴く際に、煩雑な操作を解消することができる放送受信装置を提供することを目的としている。
また、本発明は、複数のデータに関連する番組の告知が短時間に連続して行われることを避けて操作の煩雑さを解消できる放送受信装置を提供することを目的としている。
【課題を解決するための手段】
【０００７】
上記の目的を達成するために、本発明の放送受信装置は、放送を受信する受信手段と、受信した放送を出力する出力手段と、予め登録した登録データに関連する番組をその放送されるタイミングで告知する告知手段と、この告知手段による番組の告知が所定の短時間に連続して発生する場合に後発の番組の告知をキャンセルする告知キャンセル手段と、を有することを特徴としている。
このように構成された本発明においては、予め登録した登録データに関連する番組をその放送されるタイミングで告知するが、番組の告知が所定の短時間に連続して発生する場合には後発の番組の告知をキャンセルするようにしているので、短時間に告知が連続して発生することを避けることができ、その結果、使用者の操作の煩雑さを解消することができる。
【０００８】
本発明は、好ましくは、更に、告知キャンセル手段によりキャンセルされた後発の告知の番組を記憶する告知番組記憶手段を有する。
このように構成された本発明においては、告知番組記憶手段が告知キャンセル手段により告知がキャンセルされた後発の告知の番組を記憶するので、告知をキャンセルされた番組についても、後で、受聴することができる。
【０００９】
本発明は、好ましくは、更に、出力手段により出力中の番組の放送を記憶する放送番組記憶手段と、この放送番組記憶手段により記憶された番組を再生する再生手段と、を有し、告知番組記憶手段が放送番組記憶手段の一部として構成されている。
このように構成された本発明においては、告知番組記憶手段が、出力手段により出力中の番組の放送を記憶する放送番組記憶手段の一部として構成されているので、告知番組記憶手段として放送番組記憶手段の一部を利用できる。
【００１０】
本発明において、好ましくは、放送番組記憶手段及び／又は告知番組記憶手段は、出力手段による番組り出力中に、その出力中の番組と共に告知番組も併せて記憶する。
このように構成された本発明によれば、出力中の番組の記憶と、告知番組の記憶を両立することができる。
【００１１】
本発明は、好ましくは、更に、告知番組記憶手段による告知番組の記憶が完了したことを告知する告知番組記憶完了告知手段を有する。
このように構成された本発明においては、告知番組の記憶が完了したことが告知されるので、使用者は、告知番組が記憶されていることを認識でき、受聴の機会を確保することができる。
【００１２】
本発明は、好ましくは、更に、告知番組記憶完了告知手段により告知された告知番組が再生されなかった場合には、その告知番組の記録を削除する削除手段を有する。
このように構成された本発明においては、告知番組が再生されなかった場合には、その記録が削除されるようになっているので、告知番組記憶手段の記憶容量を確保することができる。
【００１３】
本発明において、好ましくは、告知番組記憶完了手段による告知と、告知手段による他の番組の告知とが所定の短時間に連続して発生する場合には、告知番組記憶完了手段による告知が告知手段による告知よりも優先的に行われる。
このように構成された本発明においては、早く記憶が削除される番組の告知を優先させて告知することができる。
【００１４】
本発明は、好ましくは、更に、告知番組記憶手段により記憶された告知番組が再生された後にその告知番組の記録を消去する消去手段を有する。
このように構成された本発明においては、告知番組が再生された後にその告知番組の記録を消去するようにしているので、告知番組記憶手段の記憶容量を確保することができる。
【００１５】
本発明において、好ましくは、放送受信装置が車両に搭載される。
このように構成された本発明においては、操作性が要求される車両運転中等において、操作の煩雑さを解消でき、且つ、告知番組の放送受聴の安全性を確保することができる。
【発明の効果】
【００１６】
本発明の放送受信装置によれば、放送番組を聴く際に、煩雑な操作を解消することができる。さらに、複数のデータに関連する番組の告知が短時間に連続して行われることを避けて操作の煩雑さを解消できる。
【発明を実施するための最良の形態】
【００１７】
以下、添付図面を参照して、本発明の実施形態による放送受信装置を説明する。本発明は、家庭内等に設置される衛星デジタルラジオ放送用の放送受信装置に適用される他、車両に搭載される車載用放送受信装置にも適用可能であり、以下、車載用放送受信装置の例を説明する。
【００１８】
図１は、本発明の実施形態の放送受信装置が搭載された車両を示す斜視図であり、図２は、本発明の実施形態の放送受信装置を示すブロック図であり、図３は、本発明の実施形態の放送受信装置の操作パネルを示す正面図であり、図４は、本発明の実施形態の放送受信装置による制御内容を示すフローチャートである。
【００１９】
先ず、図１及び図２に示すように、符号１は車両を示し、この車両１には、本実施形態による放送受信装置２が搭載されている。
この放送受信装置２は、衛星（図示せず）から直接、又は、衛星から電波が途切れた場合に使用する地上放送基地（図示せず）から衛星デジタルラジオ放送用の電波を受信する受信手段であるアンテナ４を備えている。
【００２０】
また、放送受信装置２は、衛星デジタルラジオ放送用の衛星放送用チューナ６、この衛星デジタルラジオ放送と共に、ＡＭ放送、ＦＭ放送の受信やＣＤ等の再生を行うオーディオ機器８、ディスプレイ装置１０、及び、スピーカ１１を備えている。
図１には、これらのアンテナ４、衛星放送用チューナ６、及び、オーディオ機器８が車両１に搭載されている状態が示されている。
【００２１】
この放送受信装置２は、２つの基本機能であるインスタントリプレイ機能とシークアラート機能を備えている。先ず、インスタントレプレイ機能は、受信した放送を出力しているとき、その放送中の番組を所定時間（例えば、４０分）自動的に録音し、具体的には、後述するインスタントリプレイ用メモリー２０に記録し、その後、使用者が再度受聴したい場合には、この記憶された番組を巻き戻しボタンやトランクダウンボタンにより巻き戻し再生手段であるスピーカ１１等により再生出来るようにした機能である。なお、記録した番組の再生中も、放送中の番組の録音が継続してなされ、録音内容が更新されるようになっている。
シークアラート機能は、使用者が、お気に入りの、曲名、コンポーザ（作曲者）名、ミュージシャン名、スポーツチーム名等の登録データを予め複数登録しておき、その登録された登録データに関連する番組をその放送されるタイミングで使用者に告知する機能である。この告知番組は、後述するシークアラート用メモリー２０ａに記憶することができるようになっている。
【００２２】
図２に示すように、放送受信装置２の衛星放送用チューナ６には、アンテナ４が受信した電波をデジタル処理するためのチューナ／デコーダ１２、ＤＳＰ（デジタル信号プロセッサ）１４、Ｉ／Ｆ（インターフェイス）１６、及び、ＣＰＵ１８が設けられている。この衛星放送用チューナ６には、さらに、出力中の番組の放送を記憶する放送番組記憶手段であるインスタントリプレイ用メモリー２０が設けられており、このインスタントレプレイ用メモリー２０が、シークアラート機能により告知された番組を記録する告知番組記憶手段であるシークアラート用メモリー２０ａを兼用するようになっている。
【００２３】
次に、図２に示すように、放送受信装置２のオーディオ機器８には、予め登録された複数のシークアラート（登録データ）の設定信号をチューナ６に送信し且つチューナ６から告知のためのシークアラート信号を受信する等のためのＣＰＵ２２、複数の登録データを予め登録するための操作パネル２４、衛星デジタル放送の電波による音声入力を受信して処理するためのＩ／Ｆ２６、ＤＳＰ２８、及び、アンプ３０が設けられている。なお、ＣＰＵ２２は、タイマー２２ａを備えている。また、オーディオ機器８には、電源回路３１が設けられている。
【００２４】
次に、図３により、操作パネル２４の各スイッチを説明する。使用者は、上述したシークアラート機能を利用する場合には、先ず、ＰＷＲ（電源ＯＮボタン）３２を押して電源をＯＮし、次に、ＳＡＴ（衛星デジタルラジオ放送用ボタン）３４を押して、デイスプレイ装置１０の表示を衛星デジタルラジオ受信モードに切替える。登録データを登録する場合には、デジタルラジオ放送中にディスプレイ装置１０に表示される登録データをＭＥＭＯ（シークアラート登録用ボタン）３６を短押しして選択し、次に、ＭＥＭＯ（シークアラート登録用ボタン）３６を長押しすることにより、上述した、お気に入りの、曲名、コンポーザ（作曲者）名、ミュージシャン名、スポーツチーム名等を予め複数登録する。
【００２５】
次に、図４により、本実施形態の放送受信装置２による制御内容を説明する。図４において、Ｓは各ステップを示している。
先ず、Ｓ１において、シークアラートＡ，Ｂ，Ｃ等を設定する。これらのシークアラートＡ，Ｂ，Ｃは、上述した使用者のお気に入りの、曲名、コンポーザ（作曲者）名、ミュージシャン名、スポーツチーム名等である。
【００２６】
次に、Ｓ２に進み、シークアラートＡの番組が放送されるタイミングが近づくと、そのシークアラートＡの到着を記録すると共に、そのシークアラートＡが放送されるタイミング（より正確に言えば、放送されるタイミングの直前）で、その旨を使用者に告知する。この使用者への告知は、告知手段である、ＣＰＵ１８，２２、ディスプレイ装置１０等により、デイスプレイ装置１０にそのシークアラートＡの到着を告知（表示）することにより行う。また、スピーカ１１により、音声により告知するようにしても良い。
【００２７】
次に、Ｓ３に進み、シークアラートＡが到着した後、シークアラートＢが所定の短時間内（例えば、３秒以内）に到着したか否か（即ち、シークアラートＢの告知がシークアラートＡの告知から所定の短時間か否か）を判定する。Ｓ３においてＮＯの場合には、Ｓ４に進み、シークアラートＡの到着（又は告知）後所定時間内（例えば１０秒以内）に受付操作有り（使用者がシークアラートＡに係る番組の出力を希望する場合を意味するもので、ＳＡＴ（衛星デジタルラジオ放送用ボタン）３４が押されたか否か等により判定する
）か否かを判定する。
【００２８】
Ｓ４においてＹＥＳの場合には、Ｓ５に進み、シークアラートＡの放送内容を出力すると共に録音を行う。放送内容の出力は、出力手段であるスピーカ１１により行い、録音は、インスタントレプレイ用メモリー２０により行う。一方、Ｓ４においてＮＯの場合には、Ｓ６に進み、シークアラートＡの到着記録をキャンセルする。
【００２９】
次に、Ｓ３においてＹＥＳの場合には、Ｓ７に進み、シークアラートＢの告知をキャンセルする。この告知のキャンセルは、告知キャンセル手段であるＣＰＵ１８により行う。次に、Ｓ８に進み、告知がキャンセルされたシークアラートＢの放送内容を録音する。このシークアラートＢの放送内容の録音は、告知番組記憶手段であるシークアラート用メモリー２０ａにより行われる。
【００３０】
なお、本実施形態においては、Ｓ８において、放送番組記憶手段であるインスタントレプレイ用メモリー２０に出力中の番組の放送内容を記憶すると共に、告知がキャンセルされたシークアラートＢの放送内容を告知番組記憶手段であるシークアラート用メモリー２０ａに記憶できるようになっている。
【００３１】
次に、Ｓ９に進み、シークアラートＢの録音を完了し、その後、さらに、Ｓ１０に進み、この録音完了の前後の短時間内（例えば３秒以内）にシークアラートＣが到着したか否かを判定する。Ｓ１０においてＹＥＳであれば、Ｓ１１に進み、シークアラートＢの録音完了を優先して告知し、一方、Ｓ１０においてＮＯであれば、Ｓ１２に進み、到着順に告知、即ち、シークアラートＢの録音完了及びシークアラートＣの到着を到着順に告知する。ここで、シークアラートＢの録音の完了の告知は、告知番組記憶完了告知手段であるディスプレイ装置１０、スピーカ１１等により行われる。
【００３２】
次に、Ｓ１３に進み、シークアラートＢの録音完了の告知から短時間内（例えば５秒以内）に使用者による再生操作が有った（使用者がシークアラートＢに係る番組の出力を希望する場合を意味するもので、ＳＡＴ（衛星デジタルラジオ放送用ボタン）３４が押されたか否か等により判定する）か否かを判定する。Ｓ１３においてＹＥＳの場合には、Ｓ１４に進み、シークアラートＢの録音内容の再生を開始する。その後、Ｓ１５に進み、このシークアラートＢの再生完了後、又は、再生中の使用者によるモード変更、ＡＣＣ（アクセサリ）のＯＦＦ等により、録音データを消去する。この録音データの消去は、消去手段であるＣＰＵ１８により行う。
【００３３】
一方、Ｓ１３においてＮＯの場合、即ち、使用者によるシークアラートＢの再生操作が無かった場合には、シークアラートＢの録音内容を削除する。この録音内容の削除は、削除手段であるＣＰＵ１８，２２により行う。
【００３４】
以上、本発明の実施形態として、衛星デジタルラジオ放送の例を説明したが、本発明はこれに限られず、その他のラジオ放送やテレビ放送等にも適用可能である。
【００３５】
次に、上述した本実施形態の放送受信装置による作用効果を説明する。
先ず、本実施形態の放送受信装置においては、予めシークアラートを設定した番組をその放送されるタイミングで告知するが、番組の告知が所定の短時間に連続して発生する場合には後発の番組の告知をキャンセルする（図４のＳ７参照）ようにしているので、短時間に告知が連続して発生することを避けることができ、その結果、使用者の操作の煩雑さを解消することができる。
【００３６】
次に、本実施形態においては、シークアラート用メモリー２０ａにより、告知がキャンセルされた後発の告知の番組を記憶する（図４のＳ８参照）ので、告知をキャンセルされた番組についても、後で、受聴することができる。
【００３７】
次に、本実施形態においては、告知がキャンセルされた告知番組を記憶するシークアラート用メモリー２０ａが、出力中の番組の放送を記憶するインスタントリプレイ用メモリー２０の一部として構成されているので、シークアラート用メモリーとしてインスタントリプレイ用メモリー２０の一部を利用できる。
【００３８】
次に、本実施形態においては、出力中の番組の記憶と、告知番組の記憶を両立することができる（図４のＳ８参照）。
【００３９】
次に、本実施形態においては、告知番組の記憶が完了したことが告知される（図４のＳ１１及びＳ１２参照）ので、使用者は、告知番組が記憶されていることを認識でき、受聴の機会を確保することができる。
【００４０】
次に、本実施形態においては、告知番組が再生されなかった場合には、その記録が削除されるようになっている（図４のＳ１６参照）ので、メモリー２０，２０ａの記憶容量を確保することができる。
【００４１】
次に、本実施形態においては、告知番組記憶完了の告知と、他の番組の告知とが所定の短時間に連続して発生する場合には、告知番組記憶完了による告知が他の番組の告知よりも優先的に行われる（図４のＳ１１参照）ようになっているので、早く記憶が削除される番組の告知を優先させて告知することができる。
【００４２】
次に、本実施形態においては、シークアラート用メモリー２０ａに記憶された告知番組が再生された後にその告知番組の記録を消去するようにしている（図４のＳ１５参照）ので、メモリー２０，２０ａの記憶容量を確保することができる。
【００４３】
さらに、本実施形態においては、操作性が要求される車両運転中等において、操作の煩雑さを解消でき、且つ、告知番組の放送受聴の安全性を確保することができる。
【図面の簡単な説明】
【００４４】
【図１】本発明の実施形態の放送受信装置が搭載された車両を示す斜視図である。
【図２】本発明の実施形態の放送受信装置を示すブロック図である。
【図３】本発明の実施形態の放送受信装置の操作パネルを示す正面図である。
【図４】本発明の実施形態の放送受信装置による制御内容を示すフローチャートである。
【符号の説明】
【００４５】
１  車両
２  放送受信装置
４  アンテナ
６  衛星放送用チューナ
８  オーディオ機器
１０  ディスプレイ装置
１２  チューナ／デコーダ
１４，２８  ＤＳＰ
１６，２６  Ｉ／Ｆ
１８，２２  ＣＰＵ
２０  インスタントリプレイ用メモリー
２０ａ  シークアラート用メモリー
２４  操作パネル
３０  アンプ
３１  電源回路
３２  ＰＷＲ
３４  ＳＡＴ
３６  ＭＥＭＯ
【図１】
2008167211.tif 000003
【図２】
2008167211.tif 000004
【図３】
2008167211.tif 000005
【図４】
2008167211.tif 000006